Podtech/llm-jp-corpus-v4-ja_patent huggingface dataset:
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
タバコと添加剤とを含むタバコ製品であって、ここで、実質的に純粋なビタミンＥ型の化合物が、第一位の添加剤としてタバコ製品の ０．１重量％と２０重量％の間の量で存在し、該化合物が、
（ａ）ｄ−α−トコフェリル酸スクシネートの乾燥粉末化形態、および
（ｂ）ｄ−α−トコフェリルアセテート、ｄ−α−トコフェロール、ｄl−α−トコフェロール、または、天然混合トコフェロールの、好適な担体上へと噴霧乾燥した形態、
からなる群から選択され、
ここで、該タバコ製品は、低分子量アルコール、他のビタミン、抗変異原性および着香特性を有する植物起源の天然物質と反応された真核生物細胞培養物を実質的に含有しない、
タバコ製品。
【請求項２】
請求項１に記載のタバコ製品であって、ここで、前記添加される実質的に純粋なビタミンＥ型の化合物がｄ−α−トコフェリル酸スクシネートである、タバコ製品。
【請求項３】
請求項１〜２のいずれか一項に記載のタバコ製品であって、ここで、前記好適な担体が、以下：
（ａ）ゼラチン、
（ｂ）アラビアゴム、および、
（ｃ）表面処理した、ゼラチン、デキストリン、および、グルコース、
からなる群から選択される、タバコ製品。
【請求項４】
請求項１〜３のいずれか一項に記載のタバコ製品であって、ここで、前記添加される実質的に純粋なビタミンＥ型の化合物が複合体形成していない添加剤である、タバコ製品。
【請求項５】
請求項１〜４のいずれか一項に記載のタバコ製品を含み、そして、噛みタバコである、無煙タバコ製品。
【請求項６】
請求項１〜４のいずれか一項に記載のタバコ製品を含み、そして、シガータバコ、バルクシガレットタバコ、または、バルクパイプタバコであり、ここで、前記添加される実質的に純粋なビタミンＥ型の化合物がタバコと混合される、喫煙タバコ製品。
【請求項７】
請求項１〜４のいずれか一項に記載のタバコ製品を含み、そして、少なくともシガレットタバコおよびタバコ紙を含む、喫煙タバコ製品。
【請求項８】
請求項７に記載の喫煙タバコ製品であって、ここで、前記添加される実質的に純粋なビタミンＥ型の化合物がシガレットタバコまたはタバコ紙と混合される、喫煙タバコ製品。
【請求項９】
請求項７に記載の喫煙タバコ製品であって、ここで、該喫煙タバコ製品はまた、シガレットフィルターを含み、ここで、前記添加される実質的に純粋なビタミンＥ型の化合物が該シガレットフィルターに取り込まれるか、または、前記添加される実質的に純粋なビタミンＥ型の化合物がシガレットタバコまたはタバコ紙と混合される、喫煙タバコ製品。
【請求項１０】
請求項９に記載の喫煙タバコ製品であって、ここで、前記添加される実質的に純粋なビタミンＥ型の化合物が、シガレットフィルターの中間部、または、シガレットフィルターとシガレットタバコとの間に収容される、喫煙タバコ製品。
【請求項１１】
請求項７に記載の喫煙タバコ製品であって、ここで、該喫煙タバコ製品はまた、シガレットホルダーを含み、ここで、前記添加される実質的に純粋なビタミンＥ型の化合物が、該シガレットホルダー内部に挿入される、喫煙タバコ製品。
【請求項１２】
タバコと添加剤を含む健康に良い無煙タバコ製品または喫煙タバコ製品を製造する方法であって、
該方法は、該タバコ製品に第一位の添加剤として０．１重量％と２０重量％の間の量で、以下：
（ａ）ｄ−α−トコフェリル酸スクシネートの乾燥粉末化形態、および
（ｂ）ｄ−α−トコフェリルアセテート、ｄ−α−トコフェロール、ｄl−α−トコフェロール、または、天然混合トコフェロールの、好適な担体上へと噴霧乾燥した形態、
からなる群から選択される実質的に純粋なビタミンＥ型の化合物を添加する工程を包含することを特徴とする、方法であって、
ここで、該タバコ製品は、低分子量アルコール、他のビタミン、抗変異原性および着香特性を有する植物起源の天然物質と反応された真核生物細胞培養物を実質的に含有しない、
方法。
【請求項１３】
請求項１２に記載の方法であって、ここで、前記実質的に純粋なビタミンＥ型の化合物が、噛みタバコ、シガータバコ、バルクシガレットタバコ、または、バルクパイプタバコと混合される、方法。
【請求項１４】
請求項１２に記載の方法であって、ここで、前記実質的に純粋なビタミンＥ型の化合物が、フィルターなしシガレットのシガレットタバコまたはタバコ紙と混合される、方法。
【請求項１５】
請求項１２に記載の方法であって、ここで、前記実質的に純粋なビタミンＥ型の化合物がフィルター中に取り込まれるか、または、該添加される実質的に純粋なビタミンＥ型の化合物がフィルター付きシガレットのシガレットタバコまたはタバコ紙と混合される、方法。
【請求項１６】
請求項１２に記載の方法であって、ここで、前記添加される実質的に純粋なビタミンＥ型の化合物がシガレットフィルターの中間部、または、フィルター付きシガレットのシガレットフィルターとシガレットタバコとの間に収容される、方法。
【請求項１７】
請求項１２に記載の方法であって、ここで、前記添加される実質的に純粋なビタミンＥ型の化合物が、シガレットホルダー内に挿入される、方法。
【手続補正書】
【提出日】平成23年3月22日(2011.3.22)
【手続補正１】
【補正対象書類名】明細書
【補正対象項目名】０００２
【補正方法】変更
【補正の内容】
【０００２】
皮膚等に付着した汚れを落とすために、ウェットティッシュ等の種々のシートが用いられている。ところで、使用者によっては、ケースから取り出したシートを折り返して（折り畳んで）使用することがある。この場合、使用者は、ケースから取り出したシートを折り返す必要があるため、使い勝手がよくない。
そこで、折り返されたシートを取り出すことができるシート積み重ね体が提案されている（特許文献１参照）。このシート積み重ね体は、シートを折り返した後、さらに、同じ方向に折り返すことによって形成され、１回目の折り返しによって形成された折り返し部および開口部と、２回目の折り返しによって形成された空間部を有するシート体を用いている。そして、このシート体を、積み重ね方向に沿って、空間部が交互に逆方向に開口するとともに、シート体（折り返されたシート）を順次取り出すことができるように積み重ねることによってシート積み重ね体が構成されている。
【特許文献１】特開平６−９０８７５号公報
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段における図柄の回転表示を開始させるスタート操作手段と、
前記スタート操作手段の操作に基づいて当選役についての抽選フラグの当選成立にかかる抽選ゲームを行う役抽選手段と、
前記役抽選手段による抽選ゲームの結果に基づいて前記回転表示の停止にかかる制御を行う回転停止制御手段と、を備え、
前記複数の図柄が停止表示されたときの図柄組み合わせに基づいて遊技の進行にかかる制御が行われる遊技機であって、
前記役抽選手段により抽選される前記当選役には、それぞれ異なる複数の抽選フラグにて抽選されるとともに、それら抽選フラグの別に前記変動表示が停止されるべき独自のタイミングが割り当てられた複数の特別小役が含まれており、
前記複数の特別小役は、
前記複数の抽選フラグのいずれか１つのみが当選成立されたときには、当該当選成立された抽選フラグに対して割り当てられた前記独自のタイミングにて前記変動表示が停止された特殊な場合を除き、所定個の遊技媒体が払い出される小役遊技の実行条件が成立可能となる小役図柄組み合わせが現れるかたちでの前記停止表示が取りこぼしとされる一方で、
前記複数の抽選フラグの全てが重複して当選成立されたときには、前記回転表示がいかなるタイミングにて停止操作された場合であっても、当該停止操作のタイミングが前記複数の抽選フラグのうちのいずれか１つに割り当てられた独自のタイミングと必ず合致することによって、前記小役図柄組み合わせが現れるかたちでの前記停止表示の取りこぼしが回避されるように設けられてなり、
さらに、前記複数の抽選フラグの別にそれぞれ対応付けされる前記小役図柄組み合わせについては、１の当選役にのみ対応付けされているかのようにそれぞれ同種の図柄組み合わせを用いつつも、前記抽選ゲームが行われる都度の前記当選成立にかかる前記複数の抽選フラグの重複具合を変更可能とすることによって、それら小役図柄組み合わせのうちの前記停止表示され得ない特定の図柄組み合わせを内部的には適宜に可変とする多機能小役群として設けられてなる
ことを特徴とする遊技機。
【請求項２】
請求項１に記載の遊技機において、
所定の表示面にて演出表示を行う演出表示制御手段
をさらに備えることを特徴とする遊技機。
【請求項３】
前記演出表示制御手段は、キャラクタ画像による演出表示を行う
請求項２に記載の遊技機。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段における図柄の回転表示を開始させるスタート操作手段と、
前記スタート操作手段の操作に基づいて当選役についての抽選フラグの当選成立にかかる抽選ゲームを行う役抽選手段と、
前記役抽選手段による抽選ゲームの結果に基づいて前記回転表示の停止にかかる制御を行う回転停止制御手段と、
を備え、前記複数の図柄が停止表示されたときの図柄組み合わせに基づいて遊技の進行にかかる制御が行われる遊技機であって、
前記役抽選手段により抽選される前記当選役には、それぞれ異なる複数の抽選フラグにて抽選されるとともに、当該複数の抽選フラグの別に前記変動表示が停止されるべき独自のタイミングがそれぞれ割り当てられた複数の特別小役が含まれ、
前記複数の特別小役に対応する図柄組み合わせは、いずれも、１の当選役にのみ対応付けされているかのように同一と解されうる特定図柄組み合わせとして構成されており、
前記複数の特別小役についての複数の抽選フラグのうち一の抽選フラグのみが当選成立されたときには、当該当選成立された抽選フラグに対して割り当てられた前記独自のタイミングにて前記変動表示が停止された場合にのみ、所定個の遊技媒体が払い出される小役遊技の実行条件が成立可能となる前記特定図柄組み合わせが現れる一方で、
前記複数の抽選フラグの全てが重複して当選成立されたときには、前記回転表示がいかなるタイミングにて停止操作された場合であっても、当該停止操作のタイミングが前記複数の抽選フラグにそれぞれ割り当てられたいずれかの独自のタイミングと必ず合致することによって、前記特定図柄組み合わせが常に現れるように構成されており、
前記複数の抽選フラグのうち重複して当選成立しない非重複フラグがある場合には、当該非重複フラグに対して割り当てられた独自のタイミングで前記変動表示が停止されると、前記特定図柄組み合わせが現れることなく、
前記非重複フラグを変更することで、前記特定図柄組み合わせが現れることのない前記変動表示の停止タイミングが可変とされる
ことを特徴とする遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
前記演出表示装置は、液晶ディスプレイである
請求項１または２に記載の遊技機。
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
酸化タングステンと、
溶媒とを含み、
前記溶媒の水素イオン指数が、ｐＨ２．１以上、ｐＨ５．７以下の範囲内にあること、を特徴とする光触媒分散体。
【請求項２】
前記酸化タングステンの含有量が、２０ｗｔ％以下であること、を特徴とする請求項１記載の光触媒分散体。
【請求項３】
前記溶媒が乾燥したときに前記酸化タングステンを結合する結合剤をさらに含むこと、を特徴とする請求項１または２に記載の光触媒分散体。
【請求項４】
前記結合剤の含有量が、前記酸化タングステンの含有量の１０分の１以上であること、を特徴とする請求項１〜３のいずれか１つに記載の光触媒分散体。
【請求項５】
前記結合剤の粒径が、前記酸化タングステンの粒径よりも小さいこと、を特徴とする請求項１〜４のいずれか１つに記載の光触媒分散体。
【請求項６】
前記溶媒は、室温において蒸発すること、を特徴とする請求項１〜５のいずれか１つに記載の光触媒分散体。
【請求項７】
溶媒中の水素イオン指数を、酸化タングステンの凝集を阻害し、かつ、前記酸化タングステンの触媒活性度の低下を抑制するようにｐＨ２．１以上、ｐＨ５．７以下に調整し、前記酸化タングステンを前記溶媒に混合させることを特徴とする光触媒分散体の製造方法。
【請求項８】
前記酸化タングステンを結合する結合剤を添加することを特徴とする請求項７記載の光触媒分散体の製造方法。
【請求項９】
前記結合剤の添加量が、前記酸化タングステンの濃度の１０分の１以上であること、を特徴とする請求項７または８に記載の光触媒分散体の製造方法。
【請求項１０】
基体と、
前記基体の上に設けられ、請求項１〜６のいずれか１つに記載の光触媒分散体を基体の表面に付着させ乾燥させることにより形成された光触媒と、
を備えたこと、を特徴とする光触媒体。
【請求項１１】
請求項１〜６のいずれか１つに記載の光触媒分散体を基体の表面に付着させること、を特徴とする光触媒体の製造方法。
【請求項１２】
前記付着させた光触媒分散体を室温において乾燥させること、を特徴とする請求項１１記載の光触媒体の製造方法。
【手続補正２】
【補正対象書類名】明細書
【補正対象項目名】０００５
【補正方法】変更
【補正の内容】
【０００５】
本発明は、酸化タングステンにおいて、所望の分散性を得るとともに、触媒活性度の低下を抑制することができる光触媒分散体、光触媒分散体の製造方法、光触媒体、および光触媒体の製造方法を提供する。
【手続補正３】
【補正対象書類名】明細書
【補正対象項目名】０００６
【補正方法】変更
【補正の内容】
【０００６】
本発明の一態様によれば、酸化タングステンと、溶媒とを含み、前記溶媒の水素イオン指数が、ｐＨ２．１以上、ｐＨ５．７以下の範囲内にあること、を特徴とする光触媒分散体が提供される。
【手続補正４】
【補正対象書類名】明細書
【補正対象項目名】０００７
【補正方法】変更
【補正の内容】
【０００７】
また、本発明の他の一態様によれば、溶媒中の水素イオン指数を、酸化タングステンの凝集を阻害し、かつ、前記酸化タングステンの触媒活性度の低下を抑制するようにｐＨ２．１以上、ｐＨ５．７以下に調整し、前記酸化タングステンを前記溶媒に混合させることを特徴とする光触媒分散体の製造方法が提供される。
【手続補正５】
【補正対象書類名】明細書
【補正対象項目名】００１０
【補正方法】変更
【補正の内容】
【００１０】
本発明によれば、酸化タングステンにおいて、所望の分散性を得るとともに、触媒活性度の低下を抑制することができる光触媒分散体、光触媒分散体の製造方法、光触媒体、および光触媒体の製造方法が提供される。
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
液透過性の表面層、液不透過性の防漏層及び液保持性の吸収層を有し、実質的に縦長に形成された吸収性物品において、
前記吸収層は、水で膨潤しない親水性繊維と、高吸水性ポリマーとからなり、
前記吸収層は、該吸収層の表面層側の表面を形成する表面繊維層と、該表面繊維層の裏面側に積層され且つ高吸水性ポリマーを含有するか又は高吸水性ポリマーに接触させてある内部繊維層とを有しており、
前記吸収層は、前記親水性繊維として繊維径が異なる複数種類の繊維を含み、前記内部繊維層における前記高吸水性ポリマーの近傍に位置する前記親水性繊維の繊維径が、前記表面繊維層を構成する前記親水性繊維の繊維径よりも小さく、
前記吸収層は、前記表面繊維層及び前記内部繊維層を含む第１のポリマーシートと、前記親水性繊維及び前記高吸水性ポリマーを含む第２のポリマーシートとを有しており、
前記第１のポリマーシートが、吸収性物品の幅方向に折り畳まれており、前記第２のポリマーシートが、折り畳まれた前記第１のポリマーシートのシート間に介在している吸収性物品。
【請求項２】
前記第２のポリマーシートは、前記親水性繊維と前記高吸水性ポリマーとを混合状態で含んでいる、請求項１記載の吸収性物品。
【請求項３】
前記第１のポリマーシート及び前記第２のポリマーシートは、親水化剤が内添され且つ水で膨潤しないメルトブローン繊維と、前記高吸水性ポリマーとからなる、請求項１又は２記載の吸収性物品。
【請求項４】
水で膨潤しない前記親水性繊維の前記吸収層中における含有率が３０〜７０％であり、前記高吸水性ポリマーの前記吸収層中における含有率が３０〜７０％である、請求項１〜３の何れか１項記載の吸収性物品。
【請求項５】
液透過性の表面層、液不透過性の防漏層及び液保持性の吸収層を有する吸収性物品において、
前記吸収層は、水で膨潤しない親水性繊維と、水で膨潤させた後に遠心脱水したときの水保持量が０．７ｇ／ｇ以下である架橋パルプ繊維と、高吸水性ポリマーとからなり、
前記吸収層は、該吸収層の表面層側の表面を形成する表面繊維層と、該表面繊維層の裏面側に積層され且つ高吸水性ポリマーを含有するか又は高吸水性ポリマーに接触させてある内部繊維層とを有しており、
前記表面繊維層は、水で膨潤しない前記親水性繊維からなり、
前記内部繊維層は、前記架橋パルプ繊維を含んでなる吸収性物品。
【請求項６】
前記吸収層は、前記内部繊維層を含む第１のポリマーシートと、前記架橋パルプ及び前記高吸水性ポリマーを含む第２のポリマーシートとを有しており、
前記第１のポリマーシートが、吸収性物品の幅方向に折り畳まれており、前記第２のポリマーシートが、折り畳まれた前記第１のポリマーシートのシート間に介在している、請求項５記載の吸収性物品。
【請求項７】
前記内部繊維層は、前記架橋パルプ繊維からなる湿式不織布であり、含水した高吸水性ポリマー上に積層された後に乾燥処理を受けている、請求項５又は６記載の吸収性物品。
【請求項８】
前記第１のポリマーシート及び前記第２のポリマーシートは、前記架橋パルプ繊維と、前記高吸水性ポリマーとが湿式法により複合化されてなり、
前記第２のポリマーシートを構成する前記架橋パルプ繊維には、広葉樹パルプが含まれている、請求項６記載の吸収性物品。
【請求項９】
水で膨潤しない前記親水性繊維、及び水で膨潤させた後に遠心脱水したときの水保持量が０．７ｇ／ｇ以下である前記架橋パルプ繊維の前記吸収層中における合計含有率が３０〜７０％であり、前記高吸水性ポリマーの前記吸収層中における含有率が３０〜７０％である、請求項５〜８の何れか１項記載の吸収性物品。
【請求項１０】
前記吸収層は、排泄部に配される部分に肉厚部を有し、該肉厚部における厚みが１．５〜２．５ｍｍであり、該肉厚部の周辺部における厚みが０．５〜２．０ｍｍである請求項１〜９の何れか１項記載の吸収性物品。
【請求項１１】
前記防漏層は、水蒸気透過性であり且つ濡れ張力が３７ｍＮ／ｍ以下である請求項１〜１０の何れか１項記載の吸収性物品。
【手続補正書】
【提出日】平成23年3月9日(2011.3.9)
【手続補正１】
【補正対象書類名】明細書
【補正対象項目名】０００８
【補正方法】変更
【補正の内容】
【０００８】
請求項２に記載の発明は、前記選別シュータ３内底部に、２段傾斜の底面５，６間の段部にオーバフロー口４を形成するため、構成が簡単であり、この選別米シュータ３から袋詰供給するときは、上段部の傾斜底面５から下段部の傾斜底面６へ流下する選別米は、この段部のオーバフロー口４を跳び越えるように流下供給されてオーバフロー口４からの排出をなくすことができ、選別米袋Ｂ満杯時のこの選別米シュータ３からのオーバフロー時には、このシュータ３内をオーバフロー口４部にまで上昇した選別米貯留面上から、直接このオーバフロー口４を経て流下排出するため、上段部の傾斜底面５上の選別詰りをなくして、正確な排出を行わせることができる。
【手続補正書】
【提出日】平成23年3月25日(2011.3.25)
【手続補正１】
【補正対象書類名】明細書
【補正対象項目名】００２２
【補正方法】変更
【補正の内容】
【００２２】
本発明に使用される樹脂とは、鎖状高分子からなる熱可塑性樹脂をいう。例えばポリエチレン、ポリプロピレン、アクリル樹脂、ポリアクリロニトリル、アクリロニトリル-ブタジエン-スチレン（ＡＢＳ）樹脂、ポリスチレン、アクリロニトリル−スチレン（ＡＳ）樹脂、塩化ビニル樹脂、ポリエチレンテレフタレート、ポリアミド、ポリアセタール、ポリカーボネート、変成ポリフェニレンエーテル、ポリフェニレンスルフィド、ポリフッ化ビニリデン、ポリアミドイミド、ポリエーテルイミド、ポリスルホン、ポリエーテルスルホン、セルロースアセテートおよびこれらの混合物や共重合体が挙げられる。これらと混和可能な他の樹脂および多価アルコールや界面活性剤を５０重量％以下含んでいてもよい。中でも耐薬品性の高いポリフッ化ビニリデン系樹脂が好ましく用いられる。
【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
掃除機本体に内蔵され空気を吸引する電動送風機と、前記掃除機本体に着脱自在な１つの集塵ケースとを備えた電気掃除機において、
前記１つの集塵ケースは、空気の取り入れ口と内筒とを有し取り入れた空気を旋回させて塵埃を分離する１つの分離部と一体に形成され、かつ、前記１つの分離部に連通し、
前記１つの集塵ケースは、前記１つの集塵ケースから排出された空気および前記１つの分離部の前記内筒から排気された空気を集塵するフィルターを備え、
前記１つの分離部は、前記掃除機本体の幅方向の中央からずれて位置し、
前記１つの集塵ケースは、前記１つの分離部の位置に対して、前記掃除機本体の幅方向の反対側に設置したことを特徴とする電気掃除機。
【請求項２】
前記空気の取り入れ口から取り入れた空気は、前記１つの分離部で塵埃を分離され、その一部が前記内筒を通って前記フィルターへ排気され、また一部が前記１つの分離室から前記１つの集塵ケースに流れ込んで前記フィルターへ排気されることを特徴とする請求項１に記載の電気掃除機。
【請求項３】
前記１つの分離部は、前記空気の取り入れ口より上方で前記１つの集塵ケースに連通することを特徴とする請求項１または２に記載の電気掃除機。
【請求項４】
前記フィルターは、一体に形成された前記１つの集塵ケースおよび前記１つの分離部の、前記電動送風機側に配置され、
前記空気の取り入れ口は、一体に形成された前記１つの集塵ケースおよび前記１つの分離部の、前記フィルターとは対向する側に配置されることを特徴とする請求項１から３のいずれかに記載の電気掃除機。
【請求項５】
前記空気の取り入れ口は、前記掃除機本体のホース接続口と直線状になるように形成されることを特徴とする請求項１から４のいずれかに記載の電気掃除機。
【請求項６】
前記１つの集塵ケースは、当該１つの集塵ケースの上部が前記１つの分離部に連通することを特徴とする請求項１から５のいずれかに記載の電気掃除機。
【請求項７】
前記１つの分離部で分離された塵埃が、前記１つの分離部内での旋回方向で、かつ、前記１つの分離部の接線方向に、前記１つの分離部から前記１つの集塵ケースへ流出することを特徴とする請求項１から６のいずれかに記載の電気掃除機。
【請求項８】
前記１つの分離部は、前記内筒の筒部に巻き付くように形成された隔壁を有することを特徴とする請求項１から７のいずれかに記載の電気掃除機。
【請求項９】
前記隔壁は、前記取り入れた空気を上方に持上げることを特徴とする請求項８に記載の電気掃除機。
【請求項１０】
前記フィルターは、フィルター材がひだ折りに形成されていることを特徴とする請求項１から９のいずれかに記載の電気掃除機。
【請求項１１】
前記フィルターは、当該フィルターの下部に設けた開閉軸を中心として回動可能であることを特徴とする請求項１から１０のいずれかに記載の電気掃除機。
【請求項１２】
前記１つの集塵ケースは、前記フィルターの上流側に設けられ前記フィルターと同軸で回動可能な網フィルターを有することを特徴とする請求項１１に記載の電気掃除機。
【請求項１３】
前記１つの分離部の軸方向は、鉛直方向または斜め方向を向いていることを特徴とする請求項１から１２のいずれかに記載の電気掃除機。
【請求項１４】
前記１つの分離部の軸方向は、水平方向を向いていることを特徴とする請求項１から１２のいずれかに記載の電気掃除機。
【請求項１５】
前記電動送風機は、前記１つの分離部の位置に対して、前記掃除機本体の幅方向の反対側に設置したことを特徴とする請求項１から１４のいずれかに記載の電気掃除機。
【請求項１６】
コードリールを備え、
前記コードリールは、前記１つの分離部の位置に対して、前記掃除機本体の幅方向の同じ側に設置したことを特徴とする請求項１５に記載の電気掃除機。
【請求項１７】
掃除機本体に内蔵され空気を吸引する電動送風機と、空気の取り入れ口と内筒とを有し取り入れた空気を旋回させて塵埃を分離する分離部と、前記分離部で分離された塵埃を収容する集塵ケースとを備えた電気掃除機において、
前記集塵ケースは、前記分離部に連通し、前記分離部と一体となって前記掃除機本体から着脱可能で、
前記掃除機本体は、ひだ折りに形成されたフィルター材を備え、
前記分離部は、前記掃除機本体の幅方向の中央からずれて位置し、
前記集塵ケースは、前記分離部の位置に対して、前記掃除機本体の幅方向の反対側に設置したことを特徴とする電気掃除機。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
固定子と回転子を備え、
前記固定子は、
放射状に設けられた複数の歯部からなる内コアと、前記内コアの外周部に嵌合固着されたリング状の外コアとからなる固定子コアと、
前記内コアの歯部に装着された固定子巻線と、
前記外コアの内部において隣り合う歯部との間に形成された空間内にモールドされた絶縁樹脂とを備えて構成され、
前記回転子は、前記固定子コアの内部に、空隙を介して配置されるとともに、回転子の表面に永久磁石を配置して構成された同期電動機において、
前記固定子は、
前記内コアの内周部に、それぞれの歯部を繋ぐ連結部を設けるとともに、前記連結部を、少なくとも一部が内コアの内周面から前記回転子の中心部方向へ向かって突出する凸部形状で構成し、
前記内コアの前記歯部にコイルを装着し、
前記コイルが装着された前記内コアの外周部に、前記外コアを嵌合固定して固定子コアを形成するとともに、絶縁樹脂で固定子鉄心をモールドし、かつ、前記絶縁樹脂でモールドされている前記内コアの凸部を切除して構成されていることを特徴とする同期電動機。
【請求項２】
前記凸部の形状が、矩形状であることを特徴とする請求項1に記載の同期電動機。
【請求項３】
前記凸部の形状が、三角形状であることを特徴とする請求項1に記載の同期電動機。
【請求項４】
前記凸部の形状が、円弧形状であることを特徴とする請求項1に記載の同期電動機。
【請求項５】
前記内コアは、連結部が全て切除されていることを特徴とする請求項1から請求項４までのいずれかの項に記載の同期電動機。
【請求項６】
前記内コアは、連結部が、一部が僅かに残されて切除されていることを特徴とする請求項1から請求項５までのいずれかの項に記載の同期電動機。
【請求項７】
固定子と回転子を備え、
前記固定子は、
放射状に設けられた複数の歯部からなる内コアと、前記内コアの外周部に嵌合固着されたリング状の外コアとからなる固定子コアと、
前記内コアの歯部に装着された固定子巻線と、
前記外コアの内部において隣り合う歯部との間に形成された空間内にモールドされた絶縁樹脂とを備えて構成され、
前記回転子は、前記固定子コアの内部に、エアーギャップを介して配置されるとともに、回転子の表面に永久磁石を配置して構成された同期電動機の製造方法において、
前記内コアの内周部に、それぞれの歯部を繋ぐ連結部を設けるとともに、前記連結部を、少なくとも一部が内コアの内周面から前記回転子の中心部方向へ向かって突出する凸部形状で構成し、
前記内コアの前記歯部にコイルを装着し、
前記コイルを装着した後、前記内コアの外周部に、前記外コアを嵌合固定して固定子コアを形成するとともに、絶縁樹脂で固定子鉄心をモールドし、かつ、前記絶縁樹脂でモールドされている前記内コアの凸部を切除することを特徴とする同期電動機の製造方法。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
ステッピングモータを具備し、このステッピングモータによって駆動されると共に、複数の原稿を蓄える原稿載置部から原稿を供給する自動給紙手段と、
上記ステッピングモータを作動させて上記原稿を読み取り部で読み取る動作における解像度の指定を受け付ける解像度受付手段と、
上記ステッピングモータの駆動を制御するモータ制御手段と、
を具備し、
上記モータ制御手段は、上記解像度受付手段で受け付けた解像度が所定の閾値を超える場合に、上記読み取り部での上記原稿の読み取り中に上記ステッピングモータの作動を中断させる中断動作モードに基づいて当該ステッピングモータを制御駆動させると共に、上記所定の閾値を下回る場合に、上記読み取り部での上記原稿の読み取り中に上記ステッピングモータの作動を中断させず、かつ上記中断動作モードよりも高速である高速動作モードで上記ステッピングモータを制御駆動させる、
ことを特徴とするモータ制御装置。
【請求項２】
ステッピングモータを具備し、このステッピングモータによって駆動されると共に、複数の原稿を蓄える原稿載置部から原稿を供給する自動給紙手段と、
上記ステッピングモータを作動させて上記原稿を読み取り部で読み取る動作における解像度の指定を受け付ける解像度受付手段と、
上記解像度受付手段で受け付けた解像度に基づいて、上記自動給紙手段によって供給される上記原稿を読み取り部で読み取る動作中に該読み取り動作が中断するか否かを判断する判断手段と、
上記判断手段において該読み取り動作が中断すると判断される場合に、上記原稿の読み取り動作における所定の読み取り位置にて上記ステッピングモータの作動を中断させると共に、上記判断手段において該読み取り動作が中断しないと判断される場合に、上記ステッピングモータを上記原稿の読み取り途中で中断させずに駆動させる制御を行うモータ制御手段と、
を具備することを特徴とするモータ制御装置。
【請求項３】
前記判断手段において前記読み取り動作が中断すると判断される場合には、前記モータ制御手段は、プルイン領域で前記ステッピングモータを起動させると共に、前記判断手段において前記読み取り動作が中断しないと判断される場合には、前記モータ制御手段は、
プルアウト領域で前記ステッピングモータを駆動させることを特徴とする請求項２記載のモータ制御装置。
【請求項４】
前記判断手段において前記読み取り動作が中断すると判断されると共に前記ステッピングモータを起動させた場合、前記モータ制御手段は、当該起動時を過ぎるとプルアウト領域に差し掛かる状態で前記ステッピングモータを加速させることを特徴とする請求項３記載のモータ制御装置。
【請求項５】
原稿を読み取り部で読み取る動作における解像度の指定を受け付ける解像度受付工程と、
ステッピングモータの駆動によって自動給紙手段を作動させて、複数の原稿を蓄える原稿載置部から原稿を読み取り部に送り込み、この読み取り部における読み取り動作中に該読み取り動作が中断するか否かを、上記解像度受付工程で受け付けた解像度に基づいて判断する判断工程と、
上記判断工程において該読み取り動作が中断すると判断される場合に、上記原稿の読み取り動作における所定の読み取り位置にて上記ステッピングモータの作動を中断させると共に、上記判断工程において該読み取り動作が中断しないと判断される場合に、上記ステッピングモータを上記原稿の読み取り途中で中断させずに駆動させる制御を行うモータ制御工程と、
を具備することを特徴とするモータ制御方法。
【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに固定されるステータと、前記ステータに対して回転可能なロータと、を有するブラシレスモータと、
前記ロータによって駆動される先端工具取付部材と、を有する電動工具であって、
前記ロータは、ロータコアと、前記ロータコアに埋め込まれ前記ロータコアよりも全長が短い複数個の永久磁石と、を有し、
前記ロータコアに前記永久磁石を埋め込んだ際に形成される凹室部に、接着剤が埋め込まれることを特徴とする電動工具。
【請求項２】
前記ブラシレスモータの前方には、前記先端工具取付部材が配置されており、
前記ロータの前面に前記凹室部が配置されることを特徴とする請求項１記載の電動工具。
【請求項３】
前記接着剤は、全て凹室部に配置されることを特徴とする請求項１又は請求項２記載の電動工具。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
被検体内に超音波を送受信する超音波送受信手段と、前記超音波送受信手段が受信した受波信号に基づいて断層画像を生成する断層画像構成手段と、前記受波信号に基づいて弾性画像を生成する弾性画像構成手段と、前記断層画像及び／又は前記弾性画像を表示する表示手段とを備えた超音波診断装置において、
前記弾性画像に基き前記生体組織の特性を評価する評価データを生成する評価データ生成手段と、前記評価データ生成手段が生成した評価データを用いて前記弾性画像を分類し、分類結果を前記表示手段に表示させる分類手段とをさらに備えたことを特徴とする超音波診断装置。
【請求項２】
請求項１に記載の超音波診断装置であって、
前記評価データ生成手段が生成する評価データは、前記弾性画像における弾性データの頻度を表すヒストグラム、弾性データを統計処理した統計データ、特定の弾性データを持つ領域の形態を数値化した領域評価データ、及びこれらから派生したデータの少なくとも一つを含み、
前記分類手段は、前記評価データの少なくとも一つを選択する評価データ選択手段を備え、前記評価データ選択手段が選択した評価データを用いて、前記弾性画像を２以上のグループに分類することを特徴とする超音波診断装置。
【請求項３】
請求項２に記載の超音波診断装置であって、
前記分類手段は、予め複数の弾性画像の評価データを教師信号として記憶する記憶手段を備え、前記評価データ選択手段は、前記教師信号とグループとの相関を算出し、相関が高い評価データを選択することを特徴とする超音波診断装置。
【請求項４】
請求項１に記載の超音波診断装置であって、
前記分類手段は、少なくとも入力層および出力層を含み、複数の評価データを入力とし、分類結果を出力とし、入力から出力への結合荷重および閾値は、前記出力と既知のデータから得られた教師信号との差が最小となるように変更されることを特徴とする超音波診断装置。
【請求項５】
被検体内から取得されたRF信号フレームデータを用いて、前記被検体の組織の病変情報を解析する解析ツールを備えた超音波診断装置であって、前記解析ツールは、
時系列で得られる２以上のRF信号フレームデータを用いて変位データを算出する変位データ算出手段と、
前記変位データを用いて検査対象である被検体断面の各点における歪み及び／又は弾性率からなる弾性データを算出する弾性データ算出手段と、
前記弾性データから前記被検体断面の弾性画像を生成する弾性画像生成手段と、
前記弾性データ及び弾性画像を解析し、弾性データのヒストグラム、統計処理データおよび病変組織の複雑度を含む複数の評価データを生成する評価データ生成手段と、
前記複数の評価データの少なくとも一つを選択する評価データ選択手段と、
前記評価データ選択手段が選択した評価データを用いて、前記弾性画像を複数のグループのいずれかに分類する分類手段とを備えたことを特徴とする超音波診断装置。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段における図柄の回転表示を開始させるスタート操作手段と、
前記スタート操作手段の操作に基づいて当選役についての抽選ゲームを行う役抽選手段と、
前記役抽選手段による抽選ゲームの結果に基づいて前記回転表示の停止にかかる制御を行う回転停止制御手段と、
を備え、
前記複数の図柄が停止表示されたときの図柄組み合わせに基づいて遊技の進行にかかる制御が行われる遊技機であって、
前記役抽選手段により抽選ゲームされる前記当選役として、遊技者に特典が付与されるボーナス遊技の実行契機となるボーナス役、及び所定個の遊技媒体が払い出される小役遊技の実行契機となる特定小役が含まれており、
前記回転停止制御手段は、
前記役抽選手段により前記ボーナス役が当選されたときにのみ当該当選を契機に前記ボーナス遊技の実行条件が成立する第１の図柄組み合わせにて前記回転表示が停止可能とされるボーナス確定状態に制御する特別停止制御手段、及び
前記役抽選手段により前記特定小役が当選されたとき、前記小役遊技の実行条件が成立する第２の図柄組み合わせを前記第１の図柄組み合わせよりも優先して停止表示させる優先停止制御手段、を有しており、
前記役抽選手段は、
前記抽選ゲームにおいて常には、前記図柄の回転表示が停止表示されたときには前記第２の図柄組み合わせが現れるように前記特定小役としての複数の特定小役を重複当選させることで、前記特別停止制御手段により前記ボーナス確定状態に制御されたときに前記第１の図柄組み合わせが現れるかたちでの前記停止表示を困難とする一方で、
少なくとも前記特別停止制御手段により前記ボーナス確定状態に制御されている期間においては、前記複数の特定小役のうちの一部の特定小役だけが除かれるかたちで前記重複当選させることによって、前記第２の図柄組み合わせのうちの前記除かれた一部の特定小役に対応した特定の図柄組み合わせを狙って停止表示させたときには前記第１の図柄組み合わせが現れるかたちでの前記停止表示を可能とする特別重複当選手段を有する
ことを特徴とする遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
前記演出表示装置は、液晶ディスプレイである
請求項１または２に記載の遊技機。
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段における図柄の回転表示を開始させるスタート操作手段と、
前記スタート操作手段の操作に基づいて当選役についての抽選ゲームを行う役抽選手段と、
前記役抽選手段による抽選ゲームの結果に基づいて前記回転表示の停止にかかる制御を行う回転停止制御手段と、を備え、
前記複数の図柄が停止表示されたときの図柄組み合わせに基づいて遊技の進行にかかる制御が行われる遊技機であって、
前記役抽選手段により抽選される前記当選役として、遊技者に特典が付与されるボーナス遊技の実行契機となるボーナス役、及び所定個の遊技媒体が払い出される小役遊技の実行契機となる小役が含まれており、
前記小役には、前記複数の図柄がいずれのタイミングにて停止された場合であっても前記小役遊技の実行条件が成立可能となる図柄組み合わせが現れる第１小役、及び前記複数の図柄が特定のタイミングにて停止されたときにのみ前記小役遊技の実行条件が成立可能となる図柄組み合わせが現れる第２小役が含まれており、
前記回転停止制御手段は、
前記役抽選手段により前記ボーナス役が当選されたときにのみ当該当選を契機に前記ボーナス遊技の実行条件が成立可能となる第１の図柄組み合わせにて前記回転表示が停止可能とされるボーナス確定状態に制御する特別停止制御手段、及び
前記役抽選手段により前記第２小役が当選されたとき、前記小役遊技の実行条件が成立可能となる第２の図柄組み合わせを前記第１の図柄組み合わせよりも優先して停止表示させる優先停止制御手段
を有しており、
前記役抽選手段は、
前記特別停止制御手段により前記ボーナス確定状態に制御されている期間においては、前記第１の図柄組み合わせが現れるかたちで停止表示される可能性を残しておきつつも、前記抽選ゲームにおいて常には、前記図柄の回転表示が停止表示されたときには前記第２の図柄組み合わせが現れるように前記小役のうちの前記第２小役を複数重複して当選させる第２小役重複当選手段を備える
ことを特徴とする遊技機。
【請求項２】
請求項１に記載の遊技機において、
所定の表示面にて演出表示を行う演出表示制御手段
をさらに備えることを特徴とする遊技機。
【請求項３】
前記演出表示制御手段は、キャラクタ画像による演出表示を行う
請求項２に記載の遊技機。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
所定の表示部にて回転表示される複数の図柄についての図柄組み合わせにかかる抽選ゲームを行うとともに、該抽選ゲームの結果に基づいて前記回転表示の停止にかかる制御を行う抽選停止制御手段を備え、前記複数の図柄が停止表示されたときの図柄組み合わせに基づいて遊技の進行にかかる制御が行われる遊技機であって、
前記図柄組み合わせにかかる抽選ゲームの結果には、遊技者に特典が付与されるボーナス遊技の実行契機となるボーナス組み合わせ、及び所定個の遊技媒体が払い出される小役遊技の実行契機となる複数の小役組み合わせが含まれており、
前記抽選停止制御手段は、
前記複数の図柄の停止表示に際しては、前記小役組み合わせを前記ボーナス組み合わせよりも優先して停止表示させる優先停止制御手段と、
前記抽選ゲームにおいて常には、前記複数の小役組み合わせを重複して当選させる重複当選手段と、を備え、
前記重複当選手段は、
前記抽選ゲームにおいて前記ボーナス組み合わせが既に当選していたとしても、当該ボーナス組み合わせについては偶発的にのみ停止表示される重複具合にて前記複数の小役組み合わせを重複当選させる
ことを特徴とする遊技機。
【請求項２】
請求項１に記載の遊技機において、
所定の表示面にて演出表示を行う演出表示制御手段
をさらに備えることを特徴とする遊技機。
【請求項３】
前記演出表示制御手段は、キャラクタ画像による演出表示を行う
請求項２に記載の遊技機。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
所定の表示部にて回転表示される複数の図柄についての図柄組み合わせにかかる抽選ゲームを行うとともに、該抽選ゲームの結果に基づいて前記回転表示の停止にかかる制御を行う抽選停止制御手段を備え、前記複数の図柄が停止表示されたときの図柄組み合わせに基づいて遊技の進行にかかる制御が行われる遊技機であって、
前記図柄組み合わせにかかる抽選ゲームの結果には、遊技者に特典が付与されるボーナス遊技の実行契機となるボーナス組み合わせ、及び所定個の遊技媒体が払い出される小役遊技の実行契機となる複数の小役組み合わせが含まれており、
前記抽選停止制御手段は、
前記複数の図柄の停止表示に際しては、前記小役組み合わせを前記ボーナス組み合わせよりも優先して停止表示させる優先停止制御手段と、
前記抽選ゲームにおいて、前記複数の小役組み合わせのうちの一部の組み合わせだけが除かれた多数の小役組み合わせを重複当選させる重複当選手段と、を備えることで、
前記ボーナス組み合わせが停止可能な遊技状態においては、前記除かれた一部の組み合わせを狙って表示停止されたときにのみ前記ボーナス組み合わせが停止表示されるようにした
ことを特徴とする遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
前記演出表示装置は、液晶ディスプレイである
請求項１または２に記載の遊技機。
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
遊技球が入球し難いまたは入球し得ない閉状態と入球し易い開状態との間で変移し得る可変部を備える可変入賞装置と、該可変入賞装置の可変部を変移させるように初期位置と作動位置との間を往復して動作する可動部材と、該可動部材に初期位置から作動位置へ移動する方向に動力を伝達するように個別に動作する第１駆動部材および第２駆動部材とを備え、
前記第１駆動部材および第２駆動部材のそれぞれと前記可動部材とが、該第１駆動部材および第２駆動部材のそれぞれからの動力は該可動部材へ伝達する一方、該可動部材からの動力は逃げにより該第１駆動部材および第２駆動部材のそれぞれへは伝達しないように、一方的に動力を伝達し得る動力伝達機構により連結されていることを特徴とする遊技機。
【請求項２】
上記第１駆動部材および第２駆動部材のそれぞれと上記可動部材とを連結する２組の動力伝達機構のうちの少なくとも一方が、嵌合ピンと、一側が開放された鉤部とが離脱自在に嵌合し合うことにより構成されていることを特徴とする請求項１に記載の遊技機。
【請求項３】
上記第１駆動部材および第２駆動部材のそれぞれと上記可動部材とを連結する２組の動力伝達機構のうちの少なくとも一方が、複数のアームが屈曲自在に連結されることにより構成されていることを特徴とする請求項１または請求項２に記載の遊技機。
【請求項４】
前記可動部材が、回動自在に軸支されたアームであり、
上記可動部材の一端に、屈曲自在に連結された複数のアームの一方端が回動自在に連結されることにより一方の動力伝達機構が構成され、
上記可動部材の軸支部からは伝達レバー部が延出し、該伝達レバー部の端部に嵌合ピンが取り付けられ、該嵌合ピンと、一側が開放された鉤部とが離脱自在に嵌合し合うことにより他方の動力伝達機構が構成されている、請求項１に記載の遊技機。
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
遊技球が入球し難いまたは入球し得ない閉状態と入球し易い開状態との間で変移し得る可変部を備える可変入賞装置と、遊技球の自重により駆動されて初期位置から作動位置へ移動し得るとともに、初期位置から作動位置へ移動する途上で前記可変入賞装置の可変部に係合して該可変部を変移させるように、単独でまたは複数の部材で連動して動作するように構成された可動部材と、該可動部材に係合して該可動部材を動作し得ないように初期位置に保持する係合部材とを備える遊技機であって、
前記可動部材が、初期位置復帰用の錘により付勢されながら可動に取り付けられるとともに、前記係合部材が、係合方向に付勢する付勢手段により、前記可動部材に係合して該可動部材を動作し得ないように初期位置に保持する係合体勢に保持され、
前記可動部材が、作動位置にある状態から、前記錘の付勢により、前記係合部材の一部に当接し摺動することにより該係合部材を押しのけながら初期位置に復帰して該係合部材に係合されることを特徴とする遊技機。
【請求項２】
前記係合部材が、回動自在に軸支されて垂下され、錘によりほぼ垂下された状態に保持するように付勢され、側部には下側カム面が形成されていることを特徴とする請求項１に記載の遊技機。
【請求項３】
上記係合部材の側部に上側カム面が形成されていることを特徴とする請求項２に記載の遊技機。
【請求項４】
上記係合部材に、正面視概略山形状に上方に突出した係合突起部が形成され、上記可動部材の先端部に、漸次先端側方向に傾斜する傾斜面を有する係合凹部が形成されていることを特徴とする請求項２または請求項３に記載の遊技機。